(57)【要約】【課題】電子機器の外観への影響を抑えながら、ガイドが形成されている部材を電子機器に取り付けることができる電子機器を提供する。【解決手段】電子機器１は遮蔽部材５０を有している。遮蔽部材５０は、左右方向で並んで配置され且つ電子機器１の外装部材に形成されている開口Ｅ１を通る空気を案内する複数のガイド部５１、５２を有している。複数のガイド部５１、５２のうち第１ガイド部５１はフレーム３０の後壁部３３に引っ掛かる係合部５１ａ、５１ｂを有している。遮蔽部材５０は係合部５１ａ、５１ｂによってフレーム３０に取り付けられている。【選択図】  図３
2018022751.tif 000002
【特許請求の範囲】
【請求項１】
空気が通る開口を有し、前記開口が第１の方向に開口している第１の部材と、
前記第１の方向で見たときに前記第１の方向に直交する方向である第２の方向に並んでおり且つ前記開口を通る空気の流れを案内する複数のガイド部を有し、前記第１の部材の外側に取り付けられる第２の部材とを有し、
前記複数のガイド部のうち少なくとも１つのガイド部は前記第１の部材に引っ掛かる係合部を有し、
前記第２の部材は前記係合部によって前記第１の部材に取り付けられている
ことを特徴とする電子機器。
【請求項２】
前記少なくとも１つのガイド部は前記開口の内側に向かって伸び、前記係合部によって前記開口の縁に引っ掛かっている
ことを特徴とする請求項１に記載される電子機器。
【請求項３】
前記複数のガイド部は、前記少なくとも１つのガイド部として、前記第２の方向で間隔を空けて配置される複数の第１ガイド部を有している
ことを特徴とする請求項１に記載される電子機器。
【請求項４】
前記複数のガイド部は、前記係合部を有していない第２ガイド部を有し、
前記第２ガイド部は前記複数の第１ガイド部とともに前記第２の方向で並んでいる
ことを特徴とする請求項３に記載される電子機器。
【請求項５】
前記少なくとも１つのガイド部は、前記係合部が前記第１の方向と前記第２の方向の双方に直交する第３の方向において動くことができるように、弾性変形可能である
ことを特徴とする請求項１に記載される電子機器。
【請求項６】
前記少なくとも１つのガイド部は、前記第３の方向で互いに離れている第１の部分と第２の部分とを有し、
前記第１の部分と前記第２の部分のそれぞれは前記係合部を有し、
前記少なくとも１つのガイド部は、前記第１の部分と前記第２の部分が前記第３の方向で互いに近づくことができるように弾性変形可能である
ことを特徴とする請求項５に記載される電子機器。
【請求項７】
前記第２の部材は、前記第１の部材の前記開口の縁から前記第１の方向に離れており且つ前記開口を覆う遮蔽壁部を有し、
前記複数のガイド部は前記遮蔽壁部から前記開口に向かって伸びている
ことを特徴とする請求項１に記載される電子機器。
【請求項８】
前記少なくとも１つのガイド部は、前記電子機器の前記第１の部材に対する前記第２の方向での前記第２の部材の位置ずれを抑えるように、前記第１の部材に係合している
ことを特徴とする請求項１に記載される電子機器。
【発明の詳細な説明】
【技術分野】
【０００１】
本発明は発熱する部品を空気で冷却する電子機器に関する。
【背景技術】
【０００２】
ゲーム装置やパーソナルコンピュータなどの電子機器では、回路基板に実装されている集積回路の熱を受けた空気を外部に排出するための開口を有しているものがある。下記特許文献１の電子機器は複数の板状ガイドを開口に有している（特許文献１では、ガイドは「ルーバー」や「支持部」などと称されている）。ガイドは空気の流れを案内するとともに、電子機器の内部が開口を通して外部に露出するのを抑えている。特許文献１において、ガイドは電子機器の外装部材に一体的に成形されている（特許文献１では、外装部材は「フレーム」と称されている）。
【先行技術文献】
【特許文献】
【０００３】
【特許文献１】特開２０１４−２３９１６７号公報
【発明の概要】
【発明が解決しようとする課題】
【０００４】
電子機器のデザインによっては、ガイドを外装部材と一体的に成形するのが難しい場合がある。複数のガイドが形成された部材を、外装部材とは別個に成形する場合、ガイドが形成された部材の外装部材への取り付け構造が問題となる。例えば、ガイドが形成された部材を螺子などの固定具で外装部材に取り付ける時には、電子機器の組み立て工程が増したり、固定具が外部に露出するので電子機器の美観を損なう可能性がある。開口のサイズが大きい場合には複数の位置に固定具を設ける必要が生じるので、固定具を利用する構造は特に好ましくない。
【０００５】
本開示の目的の一つは、電子機器の外観への影響を抑えながら、ガイドが形成されている部材を電子機器に取り付けることができる電子機器を提供することにある。
【課題を解決するための手段】
【０００６】
上記課題を解決するための電子機器は、空気が通る開口を有し、前記開口が第１の方向に開口している第１の部材と、前記第１の方向で見たときに前記第１の方向に直交する方向である第２の方向に並んでおり且つ前記開口を通る空気の流れを案内する複数のガイド部を有し、前記第１の部材の外側に取り付けられる第２の部材とを有している。前記複数のガイド部のうち少なくとも１つのガイド部は前記第１の部材に引っ掛かる係合部を有し、前記第２の部材は前記係合部によって前記第１の部材に取り付けられている。この電子機器によれば、電子機器の外観への影響を抑えながら、ガイドが形成されている部材を電子機器に取り付けることができる。
【図面の簡単な説明】
【０００７】
【図１】本発明の一実施形態に係る電子機器の分解斜視図である。
【図２】図１におけるＩＩ−ＩＩ線で示す電子機器の断面図である。
【図３】フレームと遮蔽部材の分解斜視図である。
【図４】遮蔽部材が取り付けられているフレームの後壁部を示す拡大斜視図である。
【図５】図２で示す要部の拡大図である。
【発明を実施するための形態】
【０００８】
以下、本発明の一実施形態について説明する。図１は本発明の実施形態の一例である電子機器１の分解斜視図である。図１では電子機器１の上面を構成する上カバー３が取り外されている。図２は図１におけるＩＩ−ＩＩ線で示す電子機器１の断面図である。図３はフレーム３０と遮蔽部材５０の分解斜視図である。図４は遮蔽部材５０が取り付けられているフレーム３０の後壁部３３を示す拡大斜視図である。図５は図２で示す要部の拡大図である。
【０００９】
以下の説明においては、図１に示すＸ１、Ｘ２をそれぞれ右方向、左方向と称し、Ｙ１、Ｙ２をそれぞれ前方、後方と称し、Ｚ１、Ｚ２をそれぞれ上方、下方と称する。
【００１０】
電子機器１は、例えばゲーム装置やオーディオ・ビジュアル機器として機能するエンタテインメント装置である。電子機器１は、ゲームプログラムの実行により生成した動画像データや、光ディスクなどの記録媒体から取得した映像・音声データ及び／又はネットワークを通して取得した映像・音声データをテレビジョンなどの表示装置に出力する。電子機器１はゲーム装置などのエンタテインメント装置に限られず、パーソナルコンピュータでもよい。
【００１１】
図２に示すように、電子機器１は回路基板２を有している。回路基板２には、ＣＰＵやＧＰＵ、メモリなどとして機能する複数の集積回路２ａが実装されている。また、電子機器１は、集積回路２ａや後述する電源回路を構成する部品４１ａなどを冷却する空気流を形成する冷却ファン２１を有している。電子機器１の例では、冷却ファン２１は上下方向に向いている軸線を中心として回転する。
【００１２】
図１に示すように、電子機器１は光ディスクドライブ７を有している。電子機器１の例では、光ディスクドライブ７と冷却ファン２１は電子機器１の前部に配置されている。光ディスクドライブ７と冷却ファン２１の後方には、電源回路を有している電源ユニット４０が配置されている。電源回路は外部電源から受けた電力を利用して、集積回路２ａや、冷却ファン２１、光ディスクドライブ７に、それらの駆動電力を供給する。冷却ファン２１や、光ディスクドライブ７、電源ユニット４０のレイアウトは電子機器１の例に限られず、適宜変更されてよい。
【００１３】
電子機器１は、その外装を構成する外装部材を有している。図１に示すように、電子機器１の例において、外装部材は電子機器１の上面を構成する上カバー３、電子機器１の下面を構成する下カバー４、及び電子機器１が内蔵する部品を取り囲むフレーム３０を含んでいる。電子機器１の例では、フレーム３０は、上述した冷却ファン２１や電源ユニット４０、光ディスクドライブ７などを取り囲んでいる。冷却ファン２１、電源ユニット４０、光ディスクドライブ７、及び回路基板２は、例えばフレーム３０に取り付けられている。図３に示すように、フレーム３０は電子機器１が内蔵する部品の後側に位置する後壁部３３、後壁部３３の右端から前方に伸びている右壁部３４、後壁部３３の左端から前方に伸びている左壁部３５、及び右壁部３４の前端と左壁部３５の前端との間に形成される前壁部３６（図１参照）を有している。フレーム３０、及びカバー３、４で構成される外装部材は、例えばＡＢＳ樹脂やポリカーボネートなどの樹脂によって形成される。外装部材の構成は、電子機器１の例に限られない。例えば、電子機器は、外装部材として、下方に開いた箱状の上ハウジングと、上方に開いた箱状であり上ハウジングと上下方向で組み合わされる下ハウジングとを有してもよい。つまり、電子機器の外装部材はフレームを有していなくてもよい。後において詳説するように、フレーム３０の後壁部３３には集積回路２ａ等の熱を受けた空気を外部に排出するための開口Ｅ１が形成されている。
【００１４】
図２に示すように、電子機器１の内部には、冷却ファン２１から開口Ｅ１（図６参照）まで続く空気流路Ｓ１、Ｓ２、Ｓ３が規定されている。第１空気流路Ｓ１は冷却ファン２１の周りに形成されている。冷却ファン２１の周囲には、円弧状に湾曲して冷却ファン２１を取り囲む壁部３９（図１参照）が形成されている。冷却ファン２１の外周と壁部３９との間に第１空気流路Ｓ１が規定されている。電子機器１の例では、壁部３９はフレーム３０と一体的に形成されている。フレーム３０は冷却ファン２１の上側を覆うカバー部３１を有している。カバー部３１には、冷却ファン２１の上方に位置する開口３１ａが形成されている。冷却ファン２１が駆動すると、開口３１ａを通して冷却ファン２１に空気が導入される。その空気は冷却ファン２１の駆動によって第１空気流路Ｓ１に流れ、第１空気流路Ｓ１を通って後方に流れる。電子機器１の例では、カバー部３１は、フレーム３０の右壁部３４の前部、左壁部３５の前部、及び前壁部３６に繋がっており、冷却ファン２１だけでなく、光ディスクドライブ７も覆っている。フレーム３０の形状は、電子機器１の例に限られず、適宜変更されてよい。
【００１５】
図２に示すように、電子機器１は、第１空気流路Ｓ１に続く第２空気流路Ｓ２を有している。電子機器１の例では、第２空気流路Ｓ２は第１空気流路Ｓ１の後方に位置している。第２空気流路Ｓ２もフレーム３０に形成されているカバー部３１によって覆われている。また、フレーム３０には第２空気流路Ｓ２を規定する右壁部と左壁部とが形成されている。
【００１６】
図２に示すように、電子機器１は、さらに、第２空気流路Ｓ２に続く第３空気流路Ｓ３を有している。電子機器１の例では、第３空気流路Ｓ３は、電源ユニット４０のケース４２によって規定されている。ケース４２は、第２空気流路Ｓ２を規定する壁部とカバー部３１とに接続されている。ケース４２の内部には、電源回路を構成する部品４１ａが実装された回路基板４１が配置されている。
【００１７】
電子機器１は空気流路Ｓ１、Ｓ２、Ｓ３に形成される空気流で冷却される発熱部品を有している。発熱部品としては、上述した集積回路２ａや、電源回路を構成する部品（例えば変圧器）４１ａがある。図２に示すように、電子機器１の例では、集積回路２ａの上側にはヒートシンク５が配置される。ヒートシンク５は例えば第２空気流路Ｓ２に配置されている。また、上述したように、第３空気流路Ｓ３は電源ユニット４０のケース４２によって規定されている。電源回路を構成する部品４１ａは第３空気流路Ｓ３を通る空気によって冷却される。空気流路Ｓ１、Ｓ２、Ｓ３に配置される部品は、電子機器１の例に限られず、適宜変更されていよい。
【００１８】
図５に示すように、電子機器１は空気流路Ｓ１、Ｓ２、Ｓ３の最下流部に、後方に向かって開口している開口Ｅ１を有している。空気流路Ｓ１、Ｓ２、Ｓ３の空気は開口Ｅ１を通って外部に排出される。電子機器１の例では、開口Ｅ１は電子機器１の外装部材に形成されている。より具体的には、図４に示すように、開口Ｅ１は外装部材の１つであるフレーム３０の後壁部３３に形成されている。後壁部３３は第３空気流路Ｓ３を構成するケース４２の後側に位置している。電源ユニット４０のケース４２は後方に開口しており、ケース４２の開口の縁は後壁部３３に接続している。電子機器１の例では、開口Ｅ１は左右方向に細長い矩形である。
【００１９】
図３に示すように、電子機器１の例では、フレーム３０の後壁部３３は、開口Ｅ１の上側に位置している中間壁部３３ｃと、開口Ｅ１の下側に位置している下壁部３３ｄとを含んでいる。中間壁部３３ｃの下縁と下壁部３３ｄの上縁との間には、左右方向で並んでいる複数の柱部３３ａが形成されている。下壁部３３ｄには、回路基板２に実装されている複数のコネクタ２ｂ（図２参照）をそれぞれ後方に露出させる複数の開口３３ｋが形成されている。図６に示すように、電子機器１の例では、中間壁部３３ｃの上側にも空気流路Ｓ４が規定されている。空気流路Ｓ４については後において詳説する。
【００２０】
図３に示すように、電子機器１は、電子機器１の本体の外側に取り付けられる遮蔽部材５０を有している。電子機器１の本体は、上述したフレーム３０等で構成される外装部材や、電源ユニット４０、冷却ファン２１、空気流路Ｓ１、Ｓ２、Ｓ３等を含んでいる。遮蔽部材５０は、具体的には、開口Ｅ１が形成されている部材の外側に取り付けられている。電子機器１の例では、遮蔽部材５０は外装部材の１つであるフレーム３０に取り付けられている。遮蔽部材５０はフレーム３０とは別個に成形されている部材である。電子機器１の例では、フレーム３０が請求項の「第１の部材」を構成し、遮蔽部材５０が請求項の「第２の部材」を構成している。
【００２１】
図５に示すように、遮蔽部材５０は、電子機器１を後側から見たときに電子機器１の内部が開口Ｅ１を通して外部に露出することを抑えるように構成されている。電子機器１の例では、開口Ｅ１が形成されている後壁部３３の前側に電源ユニット４０のケース４２が配置されている。遮蔽部材５０はケース４２の内部、すなわち電源回路を構成する部品４１ａ（図２参照）が外部に露出するのを抑えている。遮蔽部材５０は、開口Ｅ１から後方に離れている遮蔽壁部５３を含んでいる。すなわち、遮蔽壁部５３は開口Ｅ１を構成する中間壁部３３ｃの下縁部３３ｇ及び下壁部３３ｄの上縁部３３ｈから後方に離れている。また、遮蔽壁部５３は中間壁部３３ｃよりも下方に位置し、下壁部３３ｄよりも上方に位置している。そして、遮蔽壁部５３は開口Ｅ１を覆っている。これによって、電子機器１を後側から見たときにケース４２の内部が露出することを、遮蔽壁部５３によって抑えることができる。電子機器１の例では、遮蔽壁部５３の上下方向での幅は、開口Ｅ１の左右方向での幅に対応している。遮蔽壁部５３の上縁は中間壁部３３ｃの下縁部３３ｇを通る直線Ｌ１上に位置している。また、遮蔽壁部５３の左右方向での幅は、開口Ｅ１の左右方向での幅、言い換えれば後壁部３３の左右方向での幅に対応している。なお、遮蔽壁部５３の上縁は直線Ｌ１よりも上方に位置してもよい。
【００２２】
図５に示すように、電子機器１の例では、遮蔽部材５０は遮蔽壁部５３の下縁から前方に向かって伸びている底部５４を含んでいる。底部５４の前縁５４ａ（図４参照）はフレーム３０の後壁部３３に接続している。より詳細には、底部５４の前縁５４ａは後壁部３３の下壁部３３ｄの上縁部３３ｈに接続している。遮蔽部材５０は底部５４を有していなくてもよい。
【００２３】
図３に示すように、遮蔽部材５０は複数のガイド部５１、５２を有している。ガイド部５１、５２は左右方向に並んでおり、開口Ｅ１を通る空気の流れを案内する。ガイド部５１、５２は開口Ｅ１に対して、開口Ｅ１における空気の流れる方向に位置している。電子機器１の例では、ガイド部５１、５２は開口Ｅ１の後方に位置し、開口Ｅ１を通る空気が後方に流れるように空気流を案内している。各ガイド部５１、５２は前後方向に伸びている。ガイド部５１、５２は右方向又は左方向に傾斜していてもよい。
【００２４】
各ガイド部５１、５２は板状であり、各ガイド部５１、５２の上下方向での幅は開口Ｅ１の上下方向での幅に対応している。このようなガイド部５１、５２によると、例えば電子機器１に対して斜め右方向の位置から電子機器１の後側を見たときや、電子機器１に対して斜め左方向の位置から電子機器１の後側を見たときにケース４２の内部が見えることを、ガイド部５１、５２によって抑えることができる。
【００２５】
電子機器１の例では、遮蔽部材５０は複数の第１ガイド部５１と複数の第２ガイド部５２とを有している。図５に示すように、第１ガイド部５１は係合部５１ａ、５１ｂを有している。係合部５１ａ、５１ｂは遮蔽部材５０が電子機器１の本体から分離しないように本体に引っ掛かっている。電子機器１の例では、係合部５１ａ、５１ｂは、遮蔽部材５０が電子機器１の外装部材から後方に分離しないように、外装部材に引っ掛かっている。より具体的には、係合部５１ａ、５１ｂはフレーム３０の後壁部３３に引っ掛かっている。この構造によると、螺子などの固定具を利用することなく、或いは少ない固定具で、遮蔽部材５０を電子機器１に取り付けることができるので、電子機器１の外観を向上できる。また、左右方向における遮蔽部材５０の中央部を第１ガイド部５１によってフレーム３０に取り付けることができる。その結果、遮蔽部材５０の中央部がフレーム３０から離れるように遮蔽部材５０が変形することを、抑えることができる。
【００２６】
図５に示すように、第１ガイド部５１は遮蔽壁部５３から前方に伸びており、その最前部は開口Ｅ１の内側に位置している。係合部５１ａ、５１ｂは第１ガイド部５１の前端に形成され、開口Ｅ１の縁に引っ掛かっている。電子機器１の例では、第１ガイド部５１の前端に２つの係合部５１ａ、５１ｂが形成されている。第１ガイド部５１の前端には、第１係合部５１ａとして、上方に突出する凸部が形成されている。この凸部は開口Ｅ１の上側の縁、言い換えれば後壁部３３の中間壁部３３ｃの下縁部３３ｇに引っ掛かっている。より具体的には、凸部は下縁部３３ｇの前端に引っ掛かっている。また、第１ガイド部５１の前端には、第２係合部５１ｂとして、下方に突出する凸部が形成されている。この凸部は開口Ｅ１の下側の縁、言い換えれば後壁部３３の下壁部３３ｄの上縁部３３ｈに引っ掛かっている。より具体的には、凸部は上縁部３３ｈの前端に引っ掛かっている。
【００２７】
遮蔽部材５０は係合部５１ａ、５１ｂによって電子機器１の外装部材、具体的にはフレーム３０に取り付けられている。この取り付け構造によれば、係合部５１ａ、５１ｂは開口Ｅ１を通る空気の流れの障害とならない。なお、電子機器１の例では、フレーム３０の後壁部３３への遮蔽部材５０の取り付けに、螺子などの固定具は利用されていない。電子機器１の例に替えて、遮蔽部材５０の取り付けに、螺子などの固定具が利用されてもよい。この場合でも、第１ガイド部５１を利用することによって、固定具の数を減らすことができる。その結果、電子機器１の外観を向上できる。
【００２８】
図５に示すように、第１ガイド部５１は、上下方向で互いに離れている上部５１ｃと下部５１ｄとを有している。第１ガイド部５１には、その前縁から後方に伸びているスリット５１ｅが形成されている。スリット５１ｅの上側に上部５１ｃが位置し、スリット５１ｅの下側に下部５１ｄが位置している。上部５１ｃの前端に第１係合部５１ａが形成されている。下部５１ｄの前端に第２係合部５１ｂが形成されている。上述したように、遮蔽部材５０は底部５４を有している。第１ガイド部５１の下部５１ｄの下縁は底部５４に接続している。下部５１ｄの最前部は底部５４の前縁５４ａ（図４参照）を超えて前方に伸びている。
【００２９】
第１ガイド部５１は、上部５１ｃと下部５１ｄとが上下方向で互いに近づくことができるように弾性変形可能である。この構造によれば、電子機器１の本体への遮蔽部材５０の取り付け作業を容易化できる。すなわち、電子機器１の組み立て作業において、第１ガイド部５１を弾性変形させることによって、フレーム３０の開口Ｅ１の縁に遮蔽部材５０を取り付けることができる。電子機器１の一例では、上部５１ｃと下部５１ｄの双方が上下方向で弾性変形可能である。すなわち、上部５１ｃは第１係合部５１ａが下方に動くように弾性変形可能であり、下部５１ｄは第２係合部５１ｂが上方に動くように弾性変形可能である。他の例として、上部５１ｃと下部５１ｄのうち一方だけが上下方向で弾性変形可能であってもよい。
【００３０】
図４に示すように、下部５１ｄの第２係合部５１ｂには斜面５１ｉが形成されている。斜面５１ｉは下方且つ後方に伸びている。この構造によれば、電子機器１の組み立て作業をさらに容易化できる。例えば、最初に上部５１ｃの第１係合部５１ａが開口Ｅ１の縁に引っかけられ、その後、下部５１ｄの斜面５１ｉが開口Ｅ１の縁に当てられる。これによって、下部５１ｄが上方に弾性変形し、開口Ｅ１の内側へ移動する。そして、第２係合部５１ｂが、開口Ｅ１の縁、言い換えれば下壁部３３ｄの上縁部３３ｈの前縁に引っ掛かる。
【００３１】
第１ガイド部５１は、フレーム３０に対する左右方向での遮蔽部材５０の位置ずれを抑えるように、フレーム３０に係合している。図３に示すように、電子機器１の例では、開口Ｅ１の縁に凹部（溝）３３ｅが形成されている。言い換えれば、フレーム３０の後壁部３３は、下壁部３３ｄの上縁部３３ｈに、上縁部３３ｈの前端から後端まで伸びている凹部３３ｅを有している。第１ガイド部５１の下縁、より具体的には、下部５１ｄの最前部の下縁は凹部３３ｅに配置されている。これによって、遮蔽部材５０の位置がフレーム３０に対して左右方向でずれることを抑えることができる。
【００３２】
遮蔽部材５０の左右方向での位置ずれを抑える構造は、電子機器１の例に限られない。例えば、フレーム３０の後壁部３３は、中間壁部３３ｃの下縁に、中間壁部３３ｃの前縁から後縁まで伸びている凹部を有してもよい。この場合、第１ガイド部５１の上縁、より具体的には、上部５１ｃの上縁は中間壁部３３ｃの凹部に配置される。この構造でも、遮蔽部材５０の位置がフレーム３０に対して左右方向でずれることを抑えることができる。
【００３３】
上述したように、遮蔽部材５０は、左右方向で間隔を空けて配置される複数の第１ガイド部５１を有している。これによって、遮蔽部材５０のフレーム３０への取り付け強度を確保できる。また、遮蔽部材５０は複数の第２ガイド部５２を有している。図３に示すように、第２ガイド部５２は、第１ガイド部５１とは異なり、フレーム３０に引っ掛かる係合部を有していない。複数の第２ガイド部５２は複数の第１ガイド部５１とともに左右方向で並んでいる。すなわち、隣り合う２つの第１ガイド部５１の間に、１つ又は複数の第２ガイド部５２が形成されている。この構造によれば、遮蔽部材５０の取り付け作業を容易化できる。すなわち、複数のガイド部における第２ガイド部５２の割合を調節することによって、遮蔽部材５０の取り付けに要する力を調整できる。例えば、第２ガイド部５２の割合を増やし、第１ガイド部５１の割合を減らすことによって、遮蔽部材５０の取り付けに要する力を低減できる。
【００３４】
電子機器１の例では、隣り合う２つの第１ガイド部５１の間に１つの第２ガイド部５２が形成されている。図４に示すように、第２ガイド部５２は、後壁部３３に形成されている柱部３３ａと前後方向において並んでいる。これによって、第２ガイド部５２が空気の流通抵抗となることを、抑えることができている。なお、隣り合う２つの第１ガイド部５１の間に形成される第２ガイド部５２の数は電子機器１の例に限られず、例えば２つでもよいし、３つでもよい。
【００３５】
上述したように、電子機器１は開口Ｅ１の縁を構成する中間壁部３３ｃを有している。電子機器１の例では、中間壁部３３ｃはフレーム３０の後壁部３３に形成されている。図５に示すように、遮蔽部材５０の遮蔽壁部５３は中間壁部３３ｃから後方に離れている。したがって、中間壁部３３ｃの下縁部３３ｇと遮蔽壁部５３との間に上方に開いた開口Ｅ２が形成されている。第３空気流路Ｓ３の空気は中間壁部３３ｃと遮蔽壁部５３との間の開口Ｅ２を通って外部に排出される。この構造によれば、電子機器１の本体の内部、具体的には電源ユニット４０のケース４２の内部が外部に露出することを抑えながら、空気をスムーズに排出できる。例えば、中間壁部３３ｃと遮蔽壁部５３との間の間隔を広げることで、ケース４２の内部の露出を生じることなく、空気の排出効率を増すことができる。
【００３６】
図５に示すように、電子機器１の例では、中間壁部３３ｃと遮蔽壁部５３は傾斜している。具体的には、中間壁部３３ｃと遮蔽壁部５３は斜め後方かつ上方に伸びている。中間壁部３３ｃと遮蔽壁部５３は、平面視においては、互いに重ならないように配置されている。つまり、遮蔽壁部５３の前端（下端）は中間壁部３３ｃの後端（上端）よりも後方に位置している。
【００３７】
図５に示すように、電子機器１の例では中間壁部３３ｃの上側にも空気流路Ｓ４が形成されている。電子機器１の外装部材は、中間壁部３３ｃの上縁から後方に離れている遮蔽壁部３ａを有している。電源ユニット４０のケース４２の内部が空気流路Ｓ４を通して外部に露出することを、遮蔽壁部３ａによって抑えることができる。電子機器１の例では、遮蔽壁部３ａは上カバー３と一体的に形成されている。遮蔽壁部３ａは中間壁部３３ｃよりも上方に位置している。遮蔽壁部３ａの下縁と中間壁部３３ｃの上縁との間に、下方に開いた開口Ｅ３が形成されている。ケース４２（すなわち第３空気流路Ｓ３）の空気は、上カバー３の遮蔽壁部３ａと中間壁部３３ｃとの間の開口Ｅ３と、中間壁部３３ｃと上述した遮蔽部材５０の遮蔽壁部５３との間の開口Ｅ２とを通して外部に排出される。
【００３８】
電子機器１の例では、上カバー３の遮蔽壁部３ａは、フレーム３０の中間壁部３３ｃと遮蔽部材５０の遮蔽壁部５３と同様に、傾斜している。具体的には、上カバー３の遮蔽壁部３ａは、図５に示すように、前後方向に沿った切断面において、斜め後方かつ上方に伸びている。
【００３９】
また、電子機器１の例では、フレーム３０の後壁部３３は、中間壁部３３ｃよりも上方に位置し且つ中間壁部３３ｃから後方に離れている上壁部３３ｍを有している。上壁部３３ｍは上カバー３の遮蔽壁部３ａの内側に位置している。図３に示すように、後壁部３３は左右方向で並んでいる複数のガイド部３３ｐを有している。ガイド部３３ｐは上壁部３３ｍから前方に伸び且つ中間壁部３３ｃの上縁に接続されている。
【００４０】
以上説明したように、電子機器１は遮蔽部材５０を有している。遮蔽部材５０は、左右方向で並んで配置され且つフレーム３０に形成されている開口Ｅ１を通る空気を案内する複数のガイド部５１、５２を有している。複数のガイド部５１、５２のうち第１ガイド部５１はフレーム３０の後壁部３３に引っ掛かる係合部５１ａ、５１ｂを有している。遮蔽部材５０は係合部５１ａ、５１ｂによってフレーム３０に取り付けられている。この電子機器１によれば、螺子などの固定具を利用することなく、或いは少ない固定具で、遮蔽部材５０を電子機器１に取り付けることができるので、電子機器１の外観を向上できる。
【００４１】
なお、本発明は以上説明した電子機器１の例に限られず、種々の変更がなされてよい。
【００４２】
例えば、遮蔽部材５０には複数の第１ガイド部５１が設けられているが、第１ガイド部５１の数は１つでもよい。
【００４３】
また、第１ガイド部５１には係合部５１ａ、５１ｂとして凸部が形成されている。しかしながら、係合部５１ａ、５１ｂは、フレーム３０の後壁部３３から後方に離れないように後壁部３３に引っ掛かる構造であれば、必ずしも凸部でなくてもよい。例えば、開口Ｅ１の縁に凸部が形成され、第１ガイド部５１には、開口Ｅ１の縁に形成されている凸部が引っ掛かる凹部が係合部として形成されてもよい。
【００４４】
また、電子機器１の例では、第１ガイド部５１の係合部５１ａ、５１ｂはフレーム３０の後壁部３３に引っ掛かっている。しかしながら、第１ガイド部５１の係合部５１ａ、５１ｂは、他の部材に引っ掛かってもよい。例えば、第１ガイド部５１は開口Ｅ１の縁よりもさらに前方に伸びてもよい。そして、第１ガイド部５１の下縁の前端に形成されている第２係合部５１ｂは、フレーム３０、上カバー３、下カバー４で覆われている部品、例えば電源ユニット４０のケース４２に引っ掛かってもよい。つまり、ケース４２が請求項の第１の部材として利用されてもよい。
【００４５】
また、遮蔽部材５０は遮蔽壁部５３に替えて、上下方向で並んでいる複数のルーバーを有してもよい。ルーバーは電源ユニット４０のケース４２の内部が見えないように、傾斜しているのが好ましい。この場合、遮蔽部材５０は、複数のルーバーに沿って左右方向に並ぶガイド部５１、５２を有する。そして、第１ガイド部５１の上縁の前端と、第１ガイド部５１の下縁の前端とが電子機器１の外装部材に係合してもよい。
【符号の説明】
【００４６】
１  電子機器、２  回路基板、２ａ  集積回路、３  上カバー、３ａ  遮蔽壁部、４  下カバー、５  ヒートシンク、７  光ディスクドライブ、２１  冷却ファン、３０  フレーム、３１  カバー部、３１ａ  開口、３３  後壁部、３３ａ  柱部、３３ｃ  中間壁部、３３ｄ  下壁部、３３ｅ  凹部（溝）、４０  電源ユニット、４１  回路基板、４１ａ  部品（発熱部品）、４２  ケース、５０  遮蔽部材、５１  第１ガイド部、５１ａ  係合部、５１ｂ  係合部、５１ｃ  上部、５１ｄ  下部、５１ｅ  スリット、５３  遮蔽壁部、５４  底部、５４ａ  前縁、Ｅ１  開口。
【図１】
2018022751.tif 000003
【図２】
2018022751.tif 000004
【図３】
2018022751.tif 000005
【図４】
2018022751.tif 000006
【図５】
2018022751.tif 000007